(57)【要約】【課題】筐体を薄型化すること、又は装置幅に対する電池の占有幅を広くすることが可能な、構造体、これを備える携帯電子機器及びそれらの製造方法を提供する。【解決手段】携帯電子機器の操作部の筐体１内に、電池２、配線基板４並びにメタルドーム７及びフレキケーブル８を備えたキーフレーム６（部材）が収容されている。筐体１の配線基板４の側では、固定爪１３にてキーフレーム６が固定爪１５上に載置されている。固定爪１３の部分のキーフレーム６の幅は筐体１の上面開口部の幅より小さい。一方、電池２の側では、キーフレーム６の固定爪１４が筐体１の固定爪１６による溝部に嵌合されている。即ち、固定爪１４の部分のキーフレーム６の幅は上面開口部の幅より大きく、キーフレーム６はキーシート１１の支持面の投影範囲内で筐体１の側壁に支持されている。【選択図】図２
2013146100.tif 000002
【特許請求の範囲】
【請求項１】
対向する第１の平面と第２の平面とを有し、前記第１の平面側から前記第２の平面側に通ずる開口部を有する第１の平板部と、前記第１の平板部に立設され前記第２の平面側に突出された第１の側壁と、を有する筐体と、
第２の平板部と前記第２の平板部に立設された第２の側壁とを有する部材と、を有する構造体であって、
前記第２の側壁が前記第１の平板部の前記第１の平面に設けられた窪みの底面と対向する前記第２の平面の１領域と前記第１の側壁とで画定される領域に位置し、前記筐体が前記部材を支持する、
構造体。
【請求項２】
前記第１の側壁が突部を有し、前記突部が前記第２の側壁を支持する、
請求項１に記載の構造体。
【請求項３】
前記部材が前記第２の平板部の端部に設けられる前記第２の側壁を少なくとも２つ有し、２つの前記第２の側壁が対向する、
請求項１または２に記載の構造体。
【請求項４】
前記第２の平板部の一端に前記第２の側壁が設けられ、
前記第２の平板部の他端に第３の側壁が設けられる、
請求項１から３のいずれか１項に記載の構造体。
【請求項５】
前記第２の平板部は、前記開口部を通過可能とするように形成された主平板部と、前記主平板部から一部突出して形成された突出平板部と、を有する、
請求項１から４のいずれか１項に記載の構造体。
【請求項６】
前記第２の側壁は、前記突出平板部を介して設けられる、
請求項５に記載の構造体。
【請求項７】
前記第１の側壁は、前記第２の側壁を支持する突部を有し、
前記第２の平板部は、前記開口部を通過可能とするように形成された主平板部と、前記主平板部から一部突出して形成された突出平板部と、を有し、
前記突出平板部は前記第２の平面に対向し、前記第２の側壁の端部は前記突部に載置される、
請求項１に記載の構造体。
【請求項８】
前記第１の側壁は、前記第２の側壁を支持する突部を有し、
前記第２の平板部の一端に前記第２の側壁が設けられ、
前記第２の平板部の他端に第３の側壁が設けられ、
前記第３の側壁の端部は、前記突部に載置される、
請求項１に記載の構造体。
【請求項９】
前記第１の側壁は、前記第２の側壁を支持する複数の突部を有し、
前記第２の平板部の一端に前記第２の側壁が設けられ、
前記第２の平板部の他端に第３の側壁が設けられ、
前記第２の側壁の端部と前記第３の側壁の端部とは、それぞれ異なる前記突部に載置される、
請求項１に記載の構造体。
【請求項１０】
前記主平板部から延在して設けられた延在平板部を有する、
請求項５に記載の構造体。
【請求項１１】
前記筐体に前記開口部と連通して設けられた他の開口部を更に備え、
前記部材は、前記他の開口部から前記筐体に挿入し、回転させることで前記筐体に組み込むことが可能となる、
請求項１から１０のいずれか１項に記載の構造体。
【請求項１２】
前記窪みが前記開口部の周囲に設けられる、
請求項１から１１のいずれか１項に記載の構造体。
【請求項１３】
前記部材がキーフレームであり、前記キーフレーム上にキー操作部が搭載される、
請求項１から１２のいずれか１項に記載の構造体。
【請求項１４】
前記部材が表示フレームであり、前記表示フレーム上にタッチパネルが搭載される、
請求項１から１２のいずれか１項に記載の構造体。
【請求項１５】
請求項１から１４のいずれか１項に記載の構造体を備える携帯電子機器。
【請求項１６】
対向する第１の平面と第２の平面とを有し、前記第１の平面側から前記第２の平面側に通ずる開口部を有する第１の平板部と、前記第１の平板部に立設され前記第２の平面側に突出された第１の側壁と、前記開口部と連通して設けられた他の開口部と、を有する筐体と、
第２の平板部と前記第２の平板部に立設された第２の側壁とを有する部材と、を有する構造体の製造方法であって、
前記部材を、前記他の開口部から前記筐体に挿入し、
前記部材を回転させることで、前記部材の前記第２の側壁を前記第１の平板部の前記第１の平面に設けられた窪みの底面と対向する前記第２の平面の１領域と前記第１の側壁とで画定される領域に位置させ、前記部材を前記筐体に組み込む、
構造体の製造方法。
【請求項１７】
対向する第１の平面と第２の平面とを有し、前記第１の平面側から前記第２の平面側に通ずる開口部を有する第１の平板部と、前記第１の平板部に立設され前記第２の平面側に突出された第１の側壁と、前記開口部と連通して設けられた他の開口部と、を有する筐体と、
第２の平板部と前記第２の平板部に立設された第２の側壁とを有する部材と、を有する携帯電子機器の製造方法であって、
前記部材を、前記他の開口部から前記筐体に挿入し、
前記部材を回転させることで、前記部材の前記第２の側壁を前記第１の平板部の前記第１の平面に設けられた窪みの底面と対向する前記第２の平面の１領域と前記第１の側壁とで画定される領域に位置させ、前記部材を前記筐体に組み込む、
携帯電子機器の製造方法。
【発明の詳細な説明】
【技術分野】
【０００１】
本発明はキーへの入力荷重を支えるキーフレームを備える携帯電子機器に関し、より具体的には構造体、これを備える携帯電子機器及びそれらの製造方法に関する。
【背景技術】
【０００２】
本明細書において、携帯電子機器とは、各種の携帯通信機器、携帯情報機器の総称であり、例えば、携帯電話、携帯情報端末、電子辞書、電子手帳、電子書籍、計算機、携帯型のパーソナルコンピュータなどが、その具体例である。また、携帯電子機器の筐体とは、携帯電子機器の外殻を構成する構造体を意味する。
【０００３】
上部筐体とは、携帯電子機器の筐体の部分であって、使用者が携帯電子機器を操作する場合に、使用者と対面する面（以下、「上面」という）を含む部分を言う。なお、上部筐体には、一般に、携帯電子機器の操作入力装置（例えば、キーボード）や表示装置（例えば、液晶ディスプレイ）等が配置される。
【０００４】
下部筐体とは、携帯電子機器の筐体の部分であって、前記上面と対向する面（以下、「底面」という）を含む部分、言い替えれば、携帯電子機器の筐体の部分であって、使用者が携帯電子機器を操作する場合に、使用者から見て裏側になる面を含む部分を言う。
【０００５】
携帯電子機器は、例えば特許文献１のように主に入力キーを備える操作部の筐体と液晶ディスプレイ等を備える表示部の筐体とがヒンジで結合された構造が知られている。特許文献１に記載された筐体は、上部筐体と下部筐体とを備えており、これらはネジ等で結合される。
【０００６】
このような筐体構造に対し、上部筐体と下部筐体とを一体に構成して（以下、「一体構造」という）筐体の軽量化及び高強度化並びに部品点数の削減等を図ることが検討されている。
【０００７】
例えば携帯電話機のキーは外装となるキーシートとメタルドームを表面に実装したフレキケーブルとを備える構造が用いられているが、フレキケーブルはキー入力荷重を支えるキーフレームに貼付られ、更にキーフレームは筐体に支えられている。
【先行技術文献】
【特許文献】
【０００８】
【特許文献１】特開２０１０−２８８７１号公報
【発明の概要】
【発明が解決しようとする課題】
【０００９】
筐体に一体構造を適用する場合には、キーフレームの組立はキーシート面から組み込む事が自然で、組立しやすい。この場合、キーシート外周と筐体を貼り付けている枠から更に装置の内側でキーフレームを支える事が必要となる。特に電池部については筐体の底面部は電池を装置に組み込む開口となっておりキーフレームを乗せる底面が存在しない事に加えてキーフレームを支える構造と電池との空間的な干渉を避けながら、電池を配置する事は機器の小型化の制限項目となっている。
【００１０】
本発明は、上記問題点に鑑みてなされたもので、筐体を薄型化すること、又は装置幅に対する電池の占有幅を広くすることが可能な、構造体、これを備える携帯電子機器及びそれらの製造方法を提供することを目的とする。
【課題を解決するための手段】
【００１１】
上記目的を達成するため、本発明の第１の観点に係る構造体は、
対向する第１の平面と第２の平面とを有し、前記第１の平面側から前記第２の平面側に通ずる開口部を有する第１の平板部と、前記第１の平板部に立設され前記第２の平面側に突出された第１の側壁と、を有する筐体と、
第２の平板部と前記第２の平板部に立設された第２の側壁とを有する部材と、を有する構造体であって、
前記第２の側壁が前記第１の平板部の前記第１の平面に設けられた窪みの底面と対向する前記第２の平面の１領域と前記第１の側壁とで画定される領域に位置し、前記筐体が前記部材を支持する、
ことを特徴とする。
【００１２】
上記目的を達成するため、本発明の第２の観点に係る携帯電子機器は、上記の構造体を備えることを特徴とする。
【００１３】
上記目的を達成するため、本発明の第３の観点に係る構造体の製造方法は、
対向する第１の平面と第２の平面とを有し、前記第１の平面側から前記第２の平面側に通ずる開口部を有する第１の平板部と、前記第１の平板部に立設され前記第２の平面側に突出された第１の側壁と、前記開口部と連通して設けられた他の開口部と、を有する筐体と、
第２の平板部と前記第２の平板部に立設された第２の側壁とを有する部材と、を有する構造体の製造方法であって、
前記部材を、前記他の開口部から前記筐体に挿入し、
前記部材を回転させることで、前記部材の前記第２の側壁を前記第１の平板部の前記第１の平面に設けられた窪みの底面と対向する前記第２の平面の１領域と前記第１の側壁とで画定される領域に位置させ、前記部材を前記筐体に組み込む、
ことを特徴とする。
【００１４】
上記目的を達成するため、本発明の第４の観点に係る携帯電子機器の製造方法は、
対向する第１の平面と第２の平面とを有し、前記第１の平面側から前記第２の平面側に通ずる開口部を有する第１の平板部と、前記第１の平板部に立設され前記第２の平面側に突出された第１の側壁と、前記開口部と連通して設けられた他の開口部と、を有する筐体と、
第２の平板部と前記第２の平板部に立設された第２の側壁とを有する部材と、を有する携帯電子機器の製造方法であって、
前記部材を、前記他の開口部から前記筐体に挿入し、
前記部材を回転させることで、前記部材の前記第２の側壁を前記第１の平板部の前記第１の平面に設けられた窪みの底面と対向する前記第２の平面の１領域と前記第１の側壁とで画定される領域に位置させ、前記部材を前記筐体に組み込む、
ことを特徴とする。
【発明の効果】
【００１５】
本発明によれば、筐体を薄型化すること、又は装置幅に対する電池の占有幅を広くすることが可能な、構造体、これを備える携帯電子機器及びそれらの製造方法が得られる。
【図面の簡単な説明】
【００１６】
【図１】本発明の第１実施形態に係る携帯電話機の外形図であり、（Ａ）は斜視図、（Ｂ）は側面図を示す。
【図２】図１（Ｂ）のＸ−Ｘ断面及びＹ−Ｙ断面を示す図である。
【図３】携帯電話機の操作部の各部分を示す分解斜視図である。
【図４】操作部の組立方法の例を示す分解斜視図である。
【図５】本発明に対する比較例の構成を示す断面図である。
【図６】本発明に対する比較例の構成を示す断面図である。
【図７】本発明の第２実施形態に係る携帯電話機の操作部の各部分を示す分解斜視図である。
【図８】本発明の第３実施形態に係る携帯電話機の操作部の各部分を示す分解斜視図である。
【発明を実施するための形態】
【００１７】
以下、本発明を実施するための形態を、図面を参照しながら説明する。
【００１８】
（第１実施形態）
図１（Ａ），（Ｂ）に示された携帯電話機１００は、本発明の第１実施形態を示す携帯電子機器であり、操作部１０１と表示部１０２とを備えた、いわゆる折り畳み型の携帯電話端末である。また、操作部１０１と表示部１０２とは回動軸１０３を介して互いに連結されている。操作部１０１は、操作入力キー１０４を備えて、使用者が携帯電話機１００に対して各種の操作入力を行うモジュールである。また、表示部１０２は、文字、図形、画像を表示する液晶ディスプレイ１０５を備えて、使用者に各種の情報を提示するモジュールである。なお、本明細書及び図面では受話部及び送話部等の表示は省略する。
【００１９】
図２及び図３に示すように、操作部１０１の筐体１の内部には、配線基板４、キーフレーム６及び電池２が実装されている。
【００２０】
筐体１は、上面（キーシート１１が取り付けられた面）から底面（上面と対向する面）まで連続して、一体構造として形成されている。筐体１は、例えば合成樹脂（ＡＢＳ樹脂など）から射出成型によって形成することができる。筐体１は、電池２を組み込む為の電池部３と配線基板４等が収納される配線基板部５とを備えている。筐体１の上面の一部は電池部３と配線基板部５との領域に渡って切り開けられており、第１の開口５１とその周囲の平面である貼付面１２とが形成されている。
【００２１】
また、貼付面１２に合わせた形状の両面テープ１０を介して、第１の開口５１を塞ぐようにキーシート１１が貼り付けられている。
【００２２】
キーシート１１は、例えば、シリコンゴムやフッ素ゴムなどの素材で形成されたシートであり、適度な柔軟性、つまり、押圧力を加えると変形して、その押圧力がメタルドーム７に伝達されるとともに、押圧力を加えない場合には所定の形状に保たれるような柔軟性を備えるシートである。また、キーシート１１の素材には防水性の素材が選ばれる。また、キーシート１１の表面には、図形あるいは文字が表示され、キーシート１１上の特定の図形・文字が表示された部位を押圧すると、当該図形・文字に対応する操作入力がなされる。
【００２３】
電池部３の底面側には電池２を組み込むことが可能な第２の開口５２が形成されており、第２の開口５２を塞ぐ電池カバー９が着脱できるようになっている。図２のＹ−Ｙ断面図では表示を省略しているが、例えば筐体１の側面に溝を設け、電池カバー９にこの溝に嵌合する凸部を設けることで、電池カバー９を筐体１の溝に沿ってスライドさせて着脱することができる。
【００２４】
配線基板４は、携帯電話機１００に必要な電子回路が形成されたプリント回路基板である。電池２は、携帯電話機１００に電力を供給する二次電池である。電池２は、矩形の平板状をなすように形成されている。
【００２５】
キーフレーム６には、複数のメタルドーム７を備えたフレキケーブル８が貼り付けられている。メタルドーム７は、キーシート１１に表示された入力キーの位置に対応して設けられている、押圧によるクリック感を伴う金属製の接点部材である。
【００２６】
ユーザがキーシート１１の入力キーを押すと、対応する位置のメタルドーム７及びフレキケーブル８を経由して配線基板４が入力を検出することで、キーの種類に応じた所定の処理が行われる。
【００２７】
キーフレーム６には、回動軸１０３側の側端部付近に２個の固定爪１３と、反対側の側端部付近に２個の固定爪１４と、が設けられている。固定爪１３と固定爪１４とはいずれもキーフレーム６の平板部から筐体１の底面に向かって突出するように形成されている。
【００２８】
キーフレーム６のうち、固定爪１３の部分は筐体１の配線基板４側の内側面から突出する固定爪１５上に載置されている。また、固定爪１４の部分は筐体１の電池２側の内側面から突出する固定爪１６により形成された側壁の溝部に嵌合されている。即ち、筐体１は、キーシート１１の支持面（貼付面１２）の底面側への投影範囲内の側壁で前記キーフレーム６を支持する。固定爪１３及び固定爪１４は、筐体１に組み付けられた状態で、キーシート１１、メタルドーム７及びフレキケーブル８を介してキーフレーム６が受けるキー入力荷重を支える。固定爪１５及び固定爪１６の幅は、それぞれ固定爪１３及び固定爪１４の幅と同等程度としてもよく、組立性や組立状態における安定性を考慮して広く又は狭くすることとしてもよい。
【００２９】
キーフレーム６とキーシート１１がそれぞれ筐体１に取り付けられた状態において、メタルドーム７の頂上部とキーシート１１の裏面とはほぼ隙間がないようになっている。また、電池２及び電池カバー９が取り付けられた状態において、電池２とキーフレーム６、及び電池２と電池カバー９とはほぼ隙間がないようになっている。
【００３０】
次に、図４も参照して、各部の組立手順について説明する。
【００３１】
図３において、筐体１には配線基板４が既に組み込まれている。また、キーフレーム６には既にメタルドーム７を備えたフレキケーブル８が貼り付けられている。
本実施形態において、固定爪１３が形成された部分のキーフレーム６の幅寸法Ｃは、第１の開口５１の内幅寸法Ｄを超えないものとする。一方、固定爪１４が形成されたキーフレーム６の幅寸法Ｅは寸法Ｄを超えているとする。上記に示した寸法の為、固定爪１４が筐体１と干渉して、矢印方向Ｆにキーフレーム６を筐体１に組み込む事は出来ない。
【００３２】
そこで、本実施形態では、図４に示すようにキーフレーム６を筐体１に組込の際、電池部３の第２の開口５２に矢印Ａ方向から挿入する。その後、電池部３と配線基板部５の境界付近の軸Ｂ周りに、矢印Ｃ方向に回転することで、キーフレーム６が筐体１へ組み付けられる。
【００３３】
このとき、図２のＸ−Ｘ断面図に示すように、固定爪１３はキーフレーム６の回転によって上から固定爪１５上に載置される。また、Ｙ−Ｙ断面図に示すように、固定爪１４はキーフレーム６の回転によって下から固定爪１６によって形成された筐体１の溝内に嵌合される。このとき、キーフレーム６の弾性変形によって固定爪１６を乗り越えることとしてもよいし、例えばキーフレーム６を第２の開口５２に挿入する際に少し上までとして、固定爪１４が固定爪１６に干渉しないように回転させてから筐体１の長手方向にキーフレーム６をスライドさせることとしてもよい。
【００３４】
その後、両面テープ１０を備えたキーシート１１を筐体１の貼付面１２に貼り付ける。更に、電池２を筐体１に組み込んだ後、電池カバー９を組み立てる事によって、機器の組立が完了する。
【００３５】
以上、本実施形態に係る携帯電話機１００の構成及び組立方法について説明した。本実施形態の携帯電話機１００では、図２のＹ−Ｙ断面図で強調して示すように、筐体１の特に電池２側において厚さを低減させることができる。図示されているように、代表的な厚さ構成部品はキーシート１１、メタルドーム７、フレキケーブル８、キーフレーム６、電池２、電池カバー９となる。つまり、特にキーフレーム６の固定爪１４によって筐体１の厚さが増加することがないため、より薄型化を図ることができる。
【００３６】
筐体１の厚さの低減に関し、比較例の構造を図５に示す。図５の例では、キーフレーム１９が第１の開口（上面開口部）の内側に設けられたフランジ２０上に載置されている。即ち、図５の例ではキーフレーム１９を支える構造（フランジ２０）と電池２との空間的な干渉を避ける為にフランジ２０の分の隙間ができるため、筐体の薄型化が制限される。
【００３７】
なお、実際の装置には装置銘板や熱伝導シート等のシート状の部品が使用されるが、本発明の基本構造に影響を与える部品でない事から説明を割愛する。
【００３８】
また、本実施形態では、キーフレーム６の固定爪１４の部分の幅を広くとることができることである。すなわち、図２に示すように、特に固定爪１４の部分の内幅を筐体１の第１の開口５１の内幅（Ｄ）より広くすることで、筐体１の幅に対する電池２の占有幅を高めることが可能である。
【００３９】
電池２の占有幅について、比較例の構造を図６に示す。図６の例では、キーフレーム１８を貼付面１２より更に内側の側壁で支えるため、キーフレーム１８自身も貼付面１２より更に内側、つまり図３の寸法Ｄより小さい寸法で形成される。即ち、図６の例では電池１７の幅寸法が制限される。
【００４０】
本実施形態では、さらに、キーフレーム６の固定爪１４が筐体１の貼付面１２の裏側にあることで、携帯電話機１００が不用意な落下等の衝撃を受けた際に、筐体１に形成された溝部がキーフレーム６の浮き上がりを防止する。この結果、キーシート１１が持ち上げられて両面テープ１０が剥がれる事を防止することができる。
【００４１】
（第２実施形態）
本発明の第２実施形態に係る携帯電話機の操作部１１１の構成を図７に示す。
【００４２】
操作部１１１は、第１実施形態のキーフレーム６に代えてキーフレーム２１を備えている。キーフレーム２１には、キーフレーム６と同様にメタルドーム７を備えたフレキケーブル８が貼り付けられている。また、操作部１１１が固定爪１３及び固定爪１４を備える点についてもキーフレーム６と同様である。以下、第１実施形態との相違点について説明する。
【００４３】
キーフレーム２１は、浮き防止突起２２と穴２３とを備えている。浮き防止突起２２は、キーフレーム２１の平板部の一部が延びて形成されている。電池部３の範囲内において、浮き防止突起２２は、固定爪１４と同様に貼付面１２の裏側に組込されて、キーフレーム２１の浮きを防止する。
【００４４】
また、配線基板部５の範囲内においては、ネジ２４を筐体１に備えたナット２５に固定する事でキーフレーム２１の浮き防止とする。なお、筐体１の構造に応じて、ネジ２４の本数を増やしたり浮き防止突起２２の個数や寸法を変えたりしてもよい。また、ネジ以外の固定部品で浮き防止とすることも可能である。
【００４５】
また、本図ではパッキン２６を備えた電池カバー２７と防水両面テープ２８を備えたキーシート２９を用意する事で、操作部１１１を防水構造とすることができる。
【００４６】
（第３実施形態）
本発明の第３実施形態に係る携帯電話機の操作部１２１の構成を図８に示す。
【００４７】
操作部１２１は、キーシート１１，２９を介してメタルドーム７を押圧する入力方式と異なり、タッチパネルによりキー入力を行うものである。操作部１２１は、第２実施形態のキーシート２９に代えて表示部３０を備える点、及びメタルドーム７、フレキケーブル８及びキーフレーム２１に代えて表示部フレーム３７を備える点等において、前述の第２実施形態と異なっている。以下、相違点について説明する。
【００４８】
図８に示すように、表示部３０は、筐体の外側から順に積層されるタッチパネル３１及び液晶パネル３２、並びにタッチパネル３１の裏面に配置された防水両面テープ３３を備えている。タッチパネル３１は、防水両面テープ３３により貼付面１２に接着される。液晶パネル３２は、表示部フレーム３７上に載置されて接着等の任意の方法で固定される。
【００４９】
表示部フレーム３７はキーフレーム６，２１と基本的な構造は同様であるが、前述のメタルドーム７及びフレキケーブル８ではなく液晶パネル３２を支持する部材である。本実施形態の表示部フレーム３７は第２実施形態のキーフレーム２１と同様に浮き防止突起２２及び穴２３を備えている。
【００５０】
タッチパネル３１と液晶パネル３２は、それぞれ、配線基板３４と接続するフレキケーブル３５、フレキケーブル３６を備えている。フレキケーブル３５とフレキケーブル３６は、機器への組込の際、表示部フレーム３７を避けて切欠き３８を通って、配線基板３４と接続される。配線基板３４は基本的な機能は前述の配線基板４と同様であるが、タッチパネル３１及び液晶パネル３２の動作を制御する点で異なる。
【００５１】
液晶パネル３２には入力キーの配列が画面表示される。ユーザが所望のキーを押すべく、キーに対応する位置のタッチパネル３１を押圧すると、その情報が配線基板３４に送られる。配線基板３４が入力情報を受け取ることで、携帯電話機１００における所定の処理が行われる。
【００５２】
本実施形態の場合でも、第２実施形態と同様に表示部フレーム３７が筐体１に組み込まれ、ネジ２４及びナット２５を用いて筐体１に固定される。
【００５３】
さて、携帯電話機１００を例にして、本発明の具体的実施態様を説明したが、これらは例示であって、本発明の技術的範囲を限定するものではない。本発明は、特許請求の範囲で示された技術的思想の範囲において、自由に応用、変形あるいは改良して実施できる。
【００５４】
例えば、上記実施形態において、筐体１の材料は、各種金属であってもよいし、樹脂と金属を複合した複合素材であってもよい。また、成型方法も上記実施形態の射出成型以外に素材に応じたプレス等の任意の方法を用いることができる。
【００５５】
また、本明細書における筐体の「一体構造」とは、上部筐体と下部筐体が分離不能な状態で結合されていること、あるいは上部筐体と下部筐体の間に分離自在な継ぎ手が存在しないことを言う。また、筐体は、完成時において上部筐体と下部筐体が一体に構成されていれば十分であり、筐体を製造する途中のプロセスにおいて、上部筐体と下部筐体が分離していてもよい。例えば、上部筐体と下部筐体をそれぞれ別個に成型して、成型後に両者を、例えば接着や融着によって、分離不能に結合して製造された筐体も本発明の技術的範囲に含まれる。
【００５６】
また、上記実施形態においては、第１の開口５１及び第２の開口５２を示しているが、これ以外に機能上必要な別の開口部が追加されていてもよい。
【００５７】
また、上記実施形態において、いわゆる折り畳み型の携帯電話端末（携帯電話機１００）を示したが、本発明の適用対象の携帯電子機器は、折り畳み型には限定されない。操作部と表示部を単一の筐体に収めた、いわゆる一体型の携帯電子機器であっても、折り畳み用のヒンジ軸に加えて該折り畳み用のヒンジ軸に直交する反転用ヒンジ軸を備えて、表示部が該反転用ヒンジ軸に回りに回転するように構成された、いわゆる２軸ヒンジ型の携帯電子機器であってもよい。また、本発明は前述した各種機器に適用可能である。
【００５８】
また、例えば第１実施形態では筐体１に内蔵される部品として配線基板４、メタルドーム７、フレキケーブル８及び電池２を示したが、これら以外の部品が内蔵されることを妨げるものではない。例えば、キーフレーム６と電池２との間に別のシート状等の部品が介在していたとしても、本発明の範囲を逸脱するものではない。
【００５９】
また、図面に示した携帯電話機１００の形状や寸法は例示である。そもそも該図面は、携帯電話機１００の機械的な構成を概念的に表示するものであって、現実の携帯電話機１００の形状や寸法を正確に表示するものではない。したがって、本発明の技術的範囲は、これらの形状や寸法によって限定されるものではない。
【００６０】
上記の実施形態の一部又は全部は、以下の付記のようにも記載されうるが、以下には限られない。
【００６１】
（付記１）
入力用キーを備えるキー操作部と、
開口部と該開口部の周囲の支持面とを有し、該支持面にて前記キー操作部を支持する筐体と、
前記筐体に内蔵されており前記開口部にて前記キー操作部を支持するキーフレームと、を備え、
前記筐体は、前記支持面の投影範囲内の側壁で前記キーフレームを支持する、
ことを特徴とする携帯電子機器。
【００６２】
（付記２）
前記筐体に前記開口部と連通して設けられた他の開口部を更に備え、
前記キーフレームは、前記他の開口部から前記筐体に挿入し、回転させることで前記筐体に組み込むことが可能となる、
ことを特徴とする付記１に記載の携帯電子機器。
【００６３】
（付記３）
前記キーフレームは、前記キー操作部に接する平板部と該平板部の挿入先端側の縁部から立設し前記筐体に支持される第１の固定部と前記平板部の挿入後端側の縁部から立設し前記筐体に支持される第２の固定部とを備え、
前記第２の固定部における前記キーフレームの幅は、前記第１の固定部における前記キーフレームの幅より大きく、前記開口部の幅より大きい、
ことを特徴とする付記２に記載の携帯電子機器。
【００６４】
（付記４）
前記側壁は、前記第１の固定部を載置する突出部と、前記第２の固定部と嵌合する溝部と、を備える、
ことを特徴とする付記３に記載の携帯電子機器。
【００６５】
（付記５）
前記キーフレームは、前記キー操作部に接する平板部と該平板部から立設し前記筐体に支持される複数の固定部とを備え、
前記電池と前記キーフレームの前記平板部とが接している、
ことを特徴とする付記２に記載の携帯電子機器。
【００６６】
（付記６）
前記キーフレームは、前記キー操作部に接する平板部と該平板部から立設し前記筐体に支持される複数の固定部とを備え、
前記電池は、前記固定部に挟まれる位置に収蔵され、
前記電池の幅は、対応する位置の前記開口部の幅より大きい、
ことを特徴とする付記２に記載の携帯電子機器。
【００６７】
（付記７）
前記筐体は、一体に形成されている、
ことを特徴とする付記１乃至６のいずれか１つに記載の携帯電子機器。
【００６８】
（付記８）
前記キー操作部は、前記入力用キーの位置が表示されたキーシートと、前記入力用キーの位置に対応して前記キーシートと前記キーフレームとの間に配置された押圧接点と、を備える、
ことを特徴とする付記１乃至７のいずれか１つに記載の携帯電子機器。
【００６９】
（付記９）
前記キー操作部は、前記入力用キーの画像を表示する表示部と、前記表示部上に配置されたタッチパネルと、を備える、
ことを特徴とする付記１乃至７のいずれか１つに記載の携帯電子機器。
【００７０】
（付記１０）
前記筐体は防水機構を備える、
ことを特徴とする付記１乃至９のいずれか１つに記載の携帯電子機器。
【符号の説明】
【００７１】
１  筐体
２，１７  電池
３  電池部
４，３４  配線基板
５  配線基板部
６，１８，１９  キーフレーム
７  メタルドーム
８，３５，３６  フレキケーブル
９，２７  電池カバー
１０  両面テープ
１１，２９  キーシート
１２  貼付面
１３〜１６  固定爪
２０  フランジ
２１  キーフレーム
２２  浮き防止突起
２３  穴
２４  ネジ
２５  ナット
２６  パッキン
２８，３３  防水両面テープ
３０，１０２  表示部
３１  タッチパネル
３２  液晶パネル
３７  表示部フレーム
３８  切欠き
５１  第１の開口
５２  第２の開口
１００  携帯電話機
１０１，１１１，１２１  操作部
１０３  回動軸
１０４  入力キー
１０５  ディスプレイ
【図１】
2013146100.tif 000003
【図２】
2013146100.tif 000004
【図３】
2013146100.tif 000005
【図４】
2013146100.tif 000006
【図５】
2013146100.tif 000007
【図６】
2013146100.tif 000008
【図７】
2013146100.tif 000009
【図８】
2013146100.tif 000010